(57)【要約】【課題】  車両のバッテリを引き抜く及び再配置するために必要な労力を実質的に低減するのに適したフレームを利用可能にする。【解決手段】  特に電動掃除機のためのバッテリ保持フレームが提供され、このバッテリ保持フレームは、バッテリ（１０）のための少なくとも一つの下側支持面（４）と、囲い側面であって、下側支持面（４）を横断する第一閉鎖位置と、下側支持面（４）と実質的に整列及び隣接する第二作動位置との間を回動する少なくとも一つの可動側面（５ａ）を具備する囲い側面（５）と、可動側面（５ａ）が作動位置にある時にバッテリ（１０）を滑らすことを可能とするのに適した少なくとも可動側面（５ａ）に設けられた滑り要素（７）とを具備する。【選択図】      図１
2004356101.tif 000002
【特許請求の範囲】
【請求項１】
特に電動掃除機類のためのバッテリ保持フレームであって、前記バッテリ（１０）のための少なくとも一つの下側支持面（４）と、囲い側面（５）とを具備し、前記囲い側面（５）は、前記下側支持面（４）を横断する第一閉鎖位置と、前記下側支持面（４）と実質的に整列及び隣接する第二作動位置との間を回動可能な少なくとも一つの可動側面（５ａ）を具備し、前記バッテリ保持フレームは、前記可動側面（５ａ）が前記作動位置にある時に前記バッテリ（１０）を滑らすことを可能とするのに適した少なくとも前記可動側面（５ａ）に設けられた滑り要素（７）を具備するバッテリ保持フレーム。
【請求項２】
前記可動側面（５ａ）と前記下側支持面（４）との間には、前記可動側面（５ａ）と前記下側支持面（４）とが互いに対して回転するのに適した複数のピン（６）が設けられている請求項１に記載のバッテリ保持フレーム。
【請求項３】
前記滑り要素（７）は、前記可動側面（５ａ）上及び前記下側支持面（４）上の両方に設けられている請求項１に記載のバッテリ保持フレーム。
【請求項４】
前記滑り要素（７）は、回転ローラ（７ａ）を有する請求項１に記載のバッテリ保持フレーム。
【請求項５】
前記可動側面（５ａ）は、前記閉鎖位置において使用され手動により作動可能な固定要素（８）を備えている請求項１に記載のバッテリ保持フレーム。
【請求項６】
前記固定要素（８）は、ネジ（８ａ）及びナット（８ｂ）を具備する請求項５に記載のバッテリ保持フレーム。
【請求項７】
前記下側支持面（４）及び前記囲い側面（５）は金属製輪郭によって区画され、前記バッテリ保持フレームは実質的にトレッスル構造である請求項１に記載のバッテリ保持フレーム。
【請求項８】
前記下側支持面（４）及び前記可動側面（５ａ）の前記金属製輪郭は、前記下側支持面（４）及び前記可動側面（５ａ）の対向縁に位置し、前記金属製輪郭は、正方形として形成され、全体として前記滑り要素（７）が取り付けられる窪み状座部を区画形成する肩片（１１ａ）と底片（１１ｂ）とを有する請求項７に記載のバッテリ保持フレーム。
【発明の詳細な説明】
【技術分野】
【０００１】
本発明は、特に電気掃除機のためのバッテリ保持フレームに関し、このバッテリ保持フレームは、前記バッテリのための少なくとも一つの下側支持表面と、囲い側面とを具備している。
【背景技術】
【０００２】
知られているように、特に、倉庫、販売領域、及び、スーパーマーケット等内で作動する掃除機のような閉鎖空間内での作動に適した産業車は、多くの場合において、内燃機関により発生する環境及び騒音問題を避けるために電動式である。これらの機械の電気モータには、非常に重い重量及び非常に長い大きさのバッテリ又は電気供給器が提供され、これらは、一定期間での買い戻し及び一定期間での交換のための取り外しを避けるために、再充電可能となっている。しかしながら、所定の状況のもとでは、例えば、放電して、もはや再充電が不可能である時に、又は、いつでも、最終的な交換のために、バッテリの取り外しが必要であり、掃除される表面の拡大又は使用期間の不足のために、二つ以上のバッテリが、連続して使用され、次に再充電及び再使用される。
【０００３】
例え、時折であっても、バッテリの取り外しは、一般的に、機械の適当な保護部品を取り外した後の上側からの引き抜きによって行われるために、結局、作業者にとって、煩わしく疲労することであることがわかる。さらに、バッテリのかなりの重量によって、引き抜きは、適当な装置の使用によってだけ実施可能である。
【発明の開示】
【発明が解決しようとする課題】
【０００４】
この状況において、本発明の全体的な目的は、前述の欠点を実質的に克服するのに適したバッテリ保持フレーム又は特に電動掃除機のための電気供給器を提供することである。
【０００５】
この全体的な目的の範囲内における本発明の重要な目的は、車両のバッテリを引き抜く及び再配置するために必要な労力を実質的に低減するのに適したフレームを利用可能にすることである。
【０００６】
本発明のもう一つの目的は、使用するのに簡単であって前述のバッテリを引き抜く及び再配置するのに必要とされる時間を実質的に低減するのに適したフレームを利用可能にすることである。
【０００７】
さらなる目的は、新たな構成の掃除機に取り付けられるのに適して、既に作動している機械に設置されたフレーム上での交換に適するような簡単な構造のフレームを利用可能にすることである。
【課題を解決するための手段】
【０００８】
特定の目的は、特に電動掃除機のためのバッテリ保持フレームによって実現され、このバッテリ保持フレームは、前記バッテリのための少なくとも一つの下側支持面と、囲い側面であって、前記下側支持面を横断する第一閉鎖位置と、前記下側支持面と実質的に整列及び隣接する第二作動位置との間を回動する少なくとも一つの可動側面を具備する囲い側面と、前記可動側面が前記作動位置にある時に前記バッテリを滑らすことを可能とするのに適した少なくとも前記可動側面に設けられた滑り要素とを具備する。
【０００９】
本発明の好適な実施形態の記載は添付図面を参照した例として与えられる。
【発明を実施するための最良の形態】
【００１０】
図面を参照すると、フレームは、全体的に参照番号１によって示され、特に、電動掃除機２のバッテリ１０を収納するために提供される。
【００１１】
フレーム１は、実質的に、平行六面体として形成され、上側覆い面又は上側覆い壁３と、下側支持面又は下側支持壁４と、側面又は側壁５とを具備している。
【００１２】
特に、可動側面又は側壁５ａが、支持面４に関して設けられ、支持面上においてヒンジ又はピン６によって回動する。滑り要素７が、下側支持面４及び可動側面５ａに存在している。手動取り外し可能な固定要素８も設けられている。
【００１３】
固定要素８は、例えば、ネジ８ａによって限定される要素と、ナット８ｂによって限定される要素とからなり、これらは、簡単な手動ネジ込みによって互いに係合可能である。
【００１４】
次に、可動側面５ａが開放位置にある時には、下側支持面４及び可動側面５ａからなる滑り平面９が形成されることが特筆される。
【００１５】
この好適な実施形態において、滑り要素７は、複数の回転ローラ７ａからなり、しかしながら、ローラベアリング又は他の要素であっても良い。ローラ７ａは、互いに平行に設置されることが有利であり、それにより、下側支持面４と可動側面５ａとに支持されたローラは互いに平行に位置する。
【００１６】
それにより、大きな大きさ及び相当な重量のバッテリ１０でも、装置なしに引き抜き平面９上に容易に滑り出し可能である。
【００１７】
より詳細には、フレーム１の下側支持面４及び側面５は金属製輪郭によって区画される。特に、フレームは、バッテリ１０を支持する回転ローラ７ａを備えた簡単で経済的なトレッスル構造である。
【００１８】
さらに、可動側面５ａ及び下側支持面４の金属製輪郭は、少なくとも、それら自身の面の縁に限定的に配置され、正方形として形成され、それぞれに、肩片１１ａ及び底片１１ｂを有している。
【００１９】
肩片１１ａは側縁として機能し、底片１１ｂは面内の基部として機能し、全体として、回転ローラ７が据え付けられる窪み状又は中空の座部を区画形成する。
【００２０】
前述したフレーム１の使用法は以下の通りである。
可動側面５ａが下側支持面４及び上側面３に対して垂直である時には、構造は第一閉鎖位置を呈する。
【００２１】
閉鎖位置における可動側面５ａは、上側面３に当接し、下側支持面４上に位置するバッテリ１０の偶発的な滑りを防止する。固定要素８は、閉鎖位置の維持を保証することを提供する。
【００２２】
他方において、可動側面５ａが下側支持面４と平行に隣接する位置にある時には、構造は第二作動又は開放位置を呈する。
【００２３】
この開放位置において、可動側面５ａは、前記滑り又は引き抜き平面９を形成するように、下側支持面４と実質的に整列して当接する。第一閉鎖位置から第二開放位置への変化は、実質的に可動側面５ａの回動であり、この回動は、固定要素８が取り外されると、ヒンジ又はピン６によって可能となる。
【００２４】
実際に、ヒンジ６は、可動側面５ａ上に下側支持面４を回転可能に拘束し、こうして、可動側面が第一位置から第二位置へ移動することを可能とする。フレーム１が開放位置にある時に、バッテリ１０は、フレームの外側へ向けて滑り要素７上を簡単な手動作用によって滑り可能である。
【００２５】
このように、バッテリ１０は、運搬台上に設置させる、又は、運搬車上に滑り乗せる、又は、他の作業のために、都合の良い位置に設置される。
【００２６】
本発明は、重要な利点を実現する。
例えば、電動掃除機２のバッテリ１０の交換のための取り外しは、上側覆い面３を取り外すことを必要とせず、バッテリ自身を持ち上げることも必要としない。バッテリの取り外しは、可動側面５ａを簡単な手動作用によって回動させ、次に、フレーム１の外側へ向けて滑り要素７上においてバッテリ１０を手動で滑らすことをしようとすれば十分である。
【００２７】
こうして、本発明による構成は、バッテリの取り外しを担当する人の物理的な労力を実質的に低減する。さらなる利点は、バッテリを持ち上げるのに必要な前述の労力の結果としての事故の危険を減少することをもたらす。もう一つの重要な利点は、全ての作業が簡単で非常に容易であるために、バッテリの取り外し及び再設置のための無駄時間を低減することをもたらす。
【図面の簡単な説明】
【００２８】
【図１】開放位置におけるフレームの全体構造を斜視的に示している。
【図２】図１に示したフレームの一部の詳細を斜視的に示している。
【符号の説明】
【００２９】
１…フレーム
２…電動掃除機
３…上側覆い面
４…下側支持面
５…側面
５ａ…可動側面
６…ヒンジ
７…滑り要素
８…固定要素
１０…バッテリ
【図１】
2004356101.tif 000003
【図２】
2004356101.tif 000004